【事件の表示】
　特願２０１５−　　２３５０「金属引き回し抵抗を減少したディスプレイ回路」拒絶査定不服審判事件〔平成２７年　７月１６日出願公開、特開２０１５−１２９９４１、請求項の数（６）〕について、次のとおり審決する。
【結　論】
　原査定を取り消す。
　本願の発明は、特許すべきものとする。
【理　由】
第１　手続の経緯
　本願は、平成２７年１月８日（パリ条約による優先権主張２０１４年１月８日、アメリカ合衆国）の出願であって、その手続の概要は、以下のとおりである。
　平成２８年　１月２６日：拒絶理由の通知
　平成２８年　５月　２日：意見書、手続補正書の提出
　平成２８年１０月２６日：拒絶査定（同年１０月３１日送達）
　平成２９年　２月２３日：審判請求書、手続補正書の提出
　平成２９年　４月　４日：審判請求書の手続補正書の提出
　平成２９年１０月１６日：拒絶理由（最後の拒絶理由、以下「当審拒絶理　　　　　　　　　　　　　由」という。）の通知
　平成３０年　１月１７日：意見書、手続補正書の提出
第２　本願発明
　本願請求項１ないし６に係る発明（以下「本願発明１」ないし「本願発明６」という。）は、平成３０年１月１７日付け手続補正で補正された請求項１ないし６に記載された事項により特定されるとおりのものであるところ、本願発明１は以下のとおりである。
「【請求項１】
　ユーザに対して画像を表示する表示ピクセルのアレイを有するディスプレイのアクティブエリアを形成し、前記アクティブエリアの周りを囲む前記ディスプレイのインアクティブエリアを形成するディスプレイ回路であって、
　基板と、
　前記アクティブエリア内の前記基板の上に形成された薄膜トランジスタと、
　前記基板の上に形成されたゲート絶縁層と、
　前記薄膜トランジスタ上に形成されたパッシベーション層であって、前記薄膜トランジスタのゲート電極が、前記パッシベーション層と前記ゲート絶縁層との間に位置する、パッシベーション層と、
　前記パッシベーション層上に形成された第１の誘電体層と、
　前記第１の誘電体層上に形成された第２の誘電体層と、
　前記インアクティブエリア内に導電性引き回し構造体を形成する第１の金属層であって、前記第１の金属層は、前記第１の誘電体層と前記第２の誘電体層との間に位置し、前記インアクティブエリア内の前記導電性引き回し構造体は、前記インアクティブエリア内のディスプレイドライバ回路を、前記表示ピクセルを制御する前記アクティブエリア内のコントロール線に接続している、第１の金属層と、
　前記第２の誘電体層上に形成された誘電体平坦化層と、
　前記第２の誘電体層と前記誘電体平坦化層との間に位置する前記インアクティブエリア内の導電性引き回し構造体を形成する第２の金属層と、
　前記誘電体平坦化層上に形成された前記アクティブエリア内及び前記インアクティブエリア内の導電性引き回し構造体を形成する第３の金属層と、
　前記アクティブエリア内及び前記インアクティブエリア内の絶縁材料層であって、前記第３の金属層は、前記絶縁材料層と、前記アクティブエリア内及び前記インアクティブエリア内の前記誘電体平坦化層との間に位置する、絶縁材料層と、
　前記アクティブエリア内のピクセル電極であって、前記絶縁材料層及び前記第３の金属層は、前記ピクセル電極と、前記アクティブエリア内の前記基板との間に位置する、ピクセル電極と、を備えたディスプレイ回路。」
　なお、本願発明２ないし６の概要は以下のとおりである。
　本願発明２ないし６は、本願発明１を減縮した発明である。
第３　引用文献１、引用発明
　原査定の拒絶の理由に引用され、本願優先日前に電気通信回線を通じて公衆に利用可能となった引用文献１（国際公開第２００６／０１６６６２号）には、次の事項が記載されている（下線は当審で付した。以下同様である。）。
１　「[0034] 
石英ガラス、無アルカリガラス等からなる絶縁性基板
上に、
ゲート絶縁膜
、
ゲート電極
が順に形成され
ゲート絶縁膜
及びゲート電極
上の全面を覆うように、
SiN膜及びSiO
２
膜の順に積層された層間絶縁膜
が形成され
さらにこの層間絶縁膜
及びゲート絶縁膜
を貫通して
設けたコンタクトホールには、
駆動電源に接続された駆動電源線
が配置され
更に
平坦化絶縁膜17が形成され
さらに平坦化絶縁膜18が形成され
陰極
[0035] 有機EL素子60は、ITO等の透明電極から成る陽極61と、A1などの金属電極からなる陰極65との間に発光素子層が形成された積層構造を備える。発光素子層は、用いる材料により単層構造であったり2層以上の多層構造が採用でき、例えば陽極61側から、正孔注入電極である陽極61からの正孔を発光層に注入するためのCFx等を用いたホール注入層（図示せず）、NPBなどを用いたホール輸送層62、例えばNPB等のホスト材料に発光材料がドーパントとして混合された発光層63、Alqなどから成る電子輸送層64、フッ化リチウム合金などから成り、陰極からの電子を発光層に注入する電子注入層を備える。 
[0036] なお有機EL素子は、陽極から注入されたホールと、陰極から注入された電子とが発光層の内部で再結合し、発光層を形成する有機分子を励起して励起子が生じる。この励起子が放射失活する過程で発光層から光が放たれ、この光が透明な陽極から 透明絶縁基板を介して外部へ放出されて発光する。  
[0037] この有機EL素子60は、上述の通り、各画素の駆動TFT40にその陽極61が接続されており、1画素の回路素子、ここでは、選択TFT、駆動TFTなどにより制御される有機EL素子60が画素回路によって制御されて発光することで画素毎の発光表示が行われる。  
[0038] 次に、上記有機EL素子60を各画素に形成する前の
TFTアレイ
[0039] なお、図中において、画素の数は説明の都合上、48画素しか記載していないが、実際には、数万〜数十万画素が配置されている。
[0040] 透明な
ガラス基板
上
多数の表示画素回路の形成された表示画素領域
の周辺領域には
周辺駆動回路
が形成されている
[0041] 更に、本実施形態では、TFTの特性ばらつきを検査する際に利用可能な内蔵の
検査用配線
を有する
検査用端子
に接続されている
[0042] 本実施形態において、上記
検査用配線
駆動回路周辺に形成されている
表示画素領域内のTFT
[0043] この内蔵用検査用素子120は、検査専用に設けられた TFT素子であっても良いし、
表示装置
２　図4Bの記載から、平坦化絶縁膜17と平坦化絶縁膜18との間に位置する検査用配線100、平坦化絶縁膜18より上に形成された周辺BIST部130内及び画素領域内の陰極65が見て取れる。
３　上記１及び２から、以下の発明が記載されている。
「ガラス基板上の、TFTを含む多数の表示画素回路の形成された表示画素領域、表示画素領域の周辺領域とからなる表示装置であって、
　ガラス基板上にゲート絶縁膜、ゲート電極が順に形成され、ゲート絶縁膜及びゲート電極上の全面を覆うように、SiN膜及びSiO２膜の順に積層された層間絶縁膜が形成され、さらにこの層間絶縁膜及びゲート絶縁膜を貫通して設けたコンタクトホールには、駆動電源に接続された駆動電源線が配置され、更に平坦化絶縁膜17が形成され、さらに平坦化絶縁膜18が形成され、
　周辺領域には周辺駆動回路が形成され、
　平坦化絶縁膜17と平坦化絶縁膜18の間に位置し駆動回路周辺に形成されている検査用配線を有し、
　平坦化絶縁膜18より上の周辺BIST部130内及び画素領域内に陰極が形成された表示装置。」（以下「引用発明」という。）
第４　対比・判断
１　本願発明１について
（１）対比
ア　引用発明の「表示画素回路の形成された表示画素領域」は、本願発明１の「『ユーザに対して画像を表示する表示ピクセル』『を有するディスプレイのアクティブエリア』」に、引用発明の「表示画素領域の周辺領域」は、本願発明１の「アクティブエリアの周りを囲む前記ディスプレイのインアクティブエリア」に、引用発明の「ガラス基板」は、本願発明１の「基板」に、引用発明の「『表示画素領域』に『形成された』『ガラス基板上の、TFT』」は、本願発明１の「前記アクティブエリア内の前記基板の上に形成された薄膜トランジスタ」に、引用発明の「『ガラス基板上』の『ゲート絶縁膜』」は、本願発明１の「前記基板の上に形成されたゲート絶縁層」に、引用発明の「『層間絶縁膜』の『SiN膜』」は、本願発明１の「パッシベーション層」に、引用発明の「ゲート電極」は、本願発明１の「ゲート電極」に、引用発明の「『層間絶縁膜』の『SiN膜』『に積層された』『SiO２膜』」は、本願発明１の「前記パッシベーション層上に形成された第１の誘電体層」に、引用発明の「『層間絶縁膜が形成され』『更に』『形成され』た『平坦化絶縁膜17』」は、本願発明１の「前記第１の誘電体層上に形成された第２の誘電体層」に、引用発明の「『平坦化絶縁膜17が形成され、さらに』『形成された』『平坦化絶縁膜18』」は、本願発明１の「前記第２の誘電体層上に形成された誘電体平坦化層」に、引用発明の「周辺領域には周辺駆動回路が形成され、平坦化絶縁膜17と平坦化絶縁膜18との間に位置し駆動回路周辺に形成されている検査用配線」は、本願発明１の「前記第２の誘電体層と前記誘電体平坦化層との間に位置する前記インアクティブエリア内の導電性引き回し構造体を形成する第２の金属層」に、それぞれ相当する。
イ　引用発明の「TFTを含む多数の表示画素回路」は、引用文献１には「TFTアレイ」と記載されていることから、本願発明１の「画像を表示する表示ピクセルのアレイ」に相当する。
ウ　引用発明の「表示装置」は表示画素回路などの各種回路を設けているので、引用発明の「表示装置」の回路が、本願発明１の「ディスプレイ回路」に相当する。
エ　引用発明では「『ゲート絶縁膜及びゲート電極上の全面を覆うように、』『層間絶縁膜が形成され』」ているので、引用発明の「『層間絶縁膜』の『SiN膜』」は、「『表示画素領域内』の『TFT』」上に形成されている。
　よって、引用発明の「ガラス基板上にゲート絶縁膜、ゲート電極が順に形成され、ゲート絶縁膜及びゲート電極上の全面を覆うように、』『形成され』た『層間絶縁膜』の『SiN膜』」は、本願発明１の「前記薄膜トランジスタ上に形成されたパッシベーション層であって、前記薄膜トランジスタのゲート電極が、前記パッシベーション層と前記ゲート絶縁層との間に位置する、パッシベーション層」に相当する。
オ　引用発明では「『駆動電源線』は『層間絶縁膜』『を貫通して』『駆動電源に接続され』」ており、「周辺領域には周辺駆動回路が形成され」ているので、引用発明の「『周辺領域に』おいて『駆動電源に接続され』る『駆動電源線』」は、本願発明１の「前記インアクティブエリア内に導電性引き回し構造体を形成する第１の金属層であって、前記第１の金属層は、前記第１の誘電体層と前記第２の誘電体層との間に位置し、前記インアクティブエリア内の前記導電性引き回し構造体は、前記インアクティブエリア内のディスプレイドライバ回路を、前記表示ピクセルを制御する前記アクティブエリア内のコントロール線に接続している、第１の金属層」に相当する。
カ　本願発明１の「第３の金属層」が「前記アクティブエリア内及び前記インアクティブエリア内」の「誘電体平坦化層上に形成された」ことのみを考慮した場合に、引用発明の「『平坦化絶縁膜18より上』に『形成された』『周辺BIST部130内及び画素領域内』の『陰極』」が、本願発明１の「前記誘電体平坦化層上に形成された前記アクティブエリア内及び前記インアクティブエリア内の導電性引き回し構造体を形成する第３の金属層」に相当する。
キ　上記アないしカから、本願発明１と引用発明との間の一致点及び相違点は、次のとおりである。
（一致点）
「ユーザに対して画像を表示する表示ピクセルのアレイを有するディスプレイのアクティブエリアを形成し、前記アクティブエリアの周りを囲む前記ディスプレイのインアクティブエリアを形成するディスプレイ回路であって、
　基板と、
　前記アクティブエリア内の前記基板の上に形成された薄膜トランジスタと、
　前記基板の上に形成されたゲート絶縁層と、
　前記薄膜トランジスタ上に形成されたパッシベーション層であって、前記薄膜トランジスタのゲート電極が、前記パッシベーション層と前記ゲート絶縁層との間に位置する、パッシベーション層と、
　前記パッシベーション層上に形成された第１の誘電体層と、
　前記第１の誘電体層上に形成された第２の誘電体層と、
　前記インアクティブエリア内に導電性引き回し構造体を形成する第１の金属層であって、前記第１の金属層は、前記第１の誘電体層と前記第２の誘電体層との間に位置し、前記インアクティブエリア内の前記導電性引き回し構造体は、前記インアクティブエリア内のディスプレイドライバ回路を、前記表示ピクセルを制御する前記アクティブエリア内のコントロール線に接続している、第１の金属層と、
　前記第２の誘電体層上に形成された誘電体平坦化層と、
　前記第２の誘電体層と前記誘電体平坦化層との間に位置する前記インアクティブエリア内の導電性引き回し構造体を形成する第２の金属層と、
　前記誘電体平坦化層上に形成された前記アクティブエリア内及び前記インアクティブエリア内の導電性引き回し構造体を形成する第３の金属層と、を備えたディスプレイ回路。」
（相違点）
（ア）相違点１
　第３の金属層が、本願発明１においては「前記アクティブエリア内及び前記インアクティブエリア内の絶縁材料層」「と、前記アクティブエリア内及び前記インアクティブエリア内の前記誘電体平坦化層との間に位置する」のに対して、引用発明においてはそのような特定がない点。
（イ）相違点２
　本願発明１は「絶縁材料層と、前記アクティブエリア内のピクセル電極であって、前記絶縁材料層及び前記第３の金属層は、前記ピクセル電極と、前記アクティブエリア内の前記基板との間に位置する、ピクセル電極」を備えているのに対し、引用発明はそのような構成を備えていない点。
（２）判断
　相違点１において本願発明１では「第３の金属層」が、「前記アクティブエリア内」「の絶縁材料層」「と、前記アクティブエリア内」「の前記誘電体平坦化層との間に位置する」とあり、相違点２において本願発明１では「前記絶縁材料層及び前記第３の金属層は、前記ピクセル電極と、前記アクティブエリア内の前記基板との間に位置する」とあることから、「アクティブエリア内」の「第３の金属層」上の「絶縁材料層」上にさらに「ピクセル電極」も配置している。
　そこで、上記相違点１、２について検討すると、本願発明１の「第３の金属層」に相当するものは引用発明では「陰極」であり、引用発明において発光素子層に積層される「アクティブエリア内及びインアクティブエリア内」の「陰極」上に「絶縁材料層」、「アクティブエリア内」の「陰極」上の「絶縁材料層」上にさらに「ピクセル電極」を配置する技術思想はなく、その動機付けがないから、当業者が容易に発明をすることができたものとはいえない。
　また、原査定の拒絶の理由で引用され、本願優先日前に頒布された引用文献２（特開２００５−３１６４５号公報）にも、上記相違点１、２についての構成は記載されていない。
　したがって、本願発明１は、当業者が容易に発明をすることができたものとはいえない。
２　本願発明２ないし６について
　本願発明２ないし６は、本願発明１を減縮した発明であるから、本願発明１と同様な理由により、当業者が容易に発明をすることができたものとはいえない。
第５　原査定の概要及び原査定についての判断
　原査定は、請求項１−４、７について上記引用文献１に記載された発明であり、請求項１、４、７について上記引用文献２に記載された発明であるので、特許法第２９条第１項第３号の規定により特許を受けることができない、また、請求項１−７について、上記引用文献１又は上記引用文献２から当業者が容易に想到し得たことであり、特許法第２９条第２項の規定により特許を受けることができないというものである。
　しかしながら、上記のとおり、平成３０年１月１７日付け手続補正で補正された請求項１ないし６は、上記引用文献１に記載された発明又は上記引用文献２に記載された発明でなく、当業者が上記引用文献１又は上記引用文献２に基いて容易に発明をすることができたものとはいえない。
　したがって、原査定を維持することはできない。
第６　当審拒絶理由について
　当審では、特許法第３６条第６項第２号の拒絶理由を通知しているが、平成３０年１月１７日付け手続補正で補正された結果、この拒絶理由は解消した。
第７　むすび
　以上のとおり、原査定及び当審の理由によって、本願を拒絶することはできない。
　また、他に本願を拒絶すべき理由を発見しない。
　よって、結論のとおり審決する。